(57)【要約】【課題】  スピーカを内蔵したカップ部の重量を肩で支えるようにして頭頂部や耳への圧迫感を減らすことができる比較的大型のものに適するとともに、装着によってヘアスタイルが乱れることのないヘッドホン装置を実現する。【解決手段】  各々スピーカ（１０）を内蔵した一対のカップ部（１０Ａ，１０Ｂ）と、半円弧状をなし両端に前記カップ部がそれぞれ結合された水平アーム部（２１）および該水平アーム部の中央にこれとほぼ直角をなすように結合された垂直支承部（２２）とを有する支持部材（２０）と、前記垂直支承部の他端に結合されたホールド部（３０）とを備え、前記ホールド部は可塑性もしくは復元力を有する部材により構成し、前記一対のカップ部を両耳に当て前記ホールド部を首もしくは首から肩にかけて巻き付けるように装着した際に前記一対のカップ部の重量が肩にかかるように構成した。【選択図】  図１
2008172508.tif 000002
【特許請求の範囲】
【請求項１】
各々スピーカを内蔵した一対のカップ部と、半円弧状をなし両端に前記カップ部がそれぞれ結合された水平アーム部および該水平アーム部の中央にこれとほぼ直角をなすように結合された垂直支承部とを有する支持部材と、前記垂直支承部の他端に結合されたホールド部とを備えたヘッドホン装置であって、
前記ホールド部は、可塑性材料からなる芯材の回りに弾力性を有する材料を被覆した部材により構成され、
前記一対のカップ部を両耳に当て前記ホールド部を首もしくは首から肩にかけて巻き付けるように装着した際に前記一対のカップ部の重量が肩にかかるように構成され、
前記ホールド部の中央には支柱部が設けられ、この支柱部の先端が前記支持部材の垂直支承部の端部に回転可能に結合されていることを特徴とするヘッドホン装置。
【請求項２】
各々スピーカを内蔵した一対のカップ部と、半円弧状をなし両端に前記カップ部がそれぞれ結合された水平アーム部および該水平アーム部の中央にこれとほぼ直角をなすように結合された垂直支承部とを有する支持部材と、前記垂直支承部の他端に結合されたホールド部とを備えたヘッドホン装置であって、
前記ホールド部は、可塑性もしくは復元力を有する部材により構成され、
前記一対のカップ部を両耳に当て前記ホールド部を首もしくは首から肩にかけて巻き付けるように装着した際に前記一対のカップ部の重量が肩にかかるように構成されていることを特徴とするヘッドホン装置。
【請求項３】
前記ホールド部は、可塑性材料からなる芯材の回りに弾力性を有する材料を被覆した部材により構成されていることを特徴とする請求項２に記載のヘッドホン装置。
【請求項４】
前記ホールド部の中央には支柱部が設けられ、この支柱部の先端が前記支持体の垂直支承部の端部に回転可能に結合されていることを特徴とする請求項２または３に記載のヘッドホン装置。
【発明の詳細な説明】
【技術分野】
【０００１】
本発明は、電気音響変換装置としてのヘッドホン装置に関し、比較的大型であっても頭部や耳への圧迫感が少ないヘッドホン装置の構造に関するものである。
【背景技術】
【０００２】
従来、ヘッドホンとしては逆Ｕ字形のヘッドアームの両端に小型スピーカを内蔵したカップを設けたものや、スピーカを内蔵したカップに耳の上部に引っ掛けるフックをそれぞれ設けたものなどが実用化されている。また、ヘッドホンよりも小型の電気音響変換装置として、耳孔に挿入して使用するイヤホン型のものがある。ヘッドホンは重量が大きく高価であるが音質を重視する場合に、一方、イヤホンは音質よりも携帯性や経済性を重視する場合に使用されている。
【特許文献１】実開平６−８１１９３号公報
【特許文献２】特開平６−４６４８７号公報
【発明の開示】
【発明が解決しようとする課題】
【０００３】
ヘッドホンはイヤホンよりも重量が大きいため、従来、ヘッドアーム形のヘッドホンでは頭頂部で荷重を支えたり、バネ性の強いヘッドアームで両耳を挟みつけるようにして荷重を支えるようにしていた。そのため、頭頂部や耳殻への圧迫感が大きく痛みを感じる場合もあり、長時間使用することが困難であるという課題があった。また、頭頂部で荷重を支えるヘッドアーム形のヘッドホンは、使用によってヘアスタイルが乱れるため、若い女性などに敬遠されるおそれがあるという課題があった。
【０００４】
なお、耳への圧迫感を減らすことができるヘッドホン（レシーバ）としてヘッドアームのバネ力を首の両側で受けるようにした首掛け式のヘッドホンが提案されている（特許文献１）。また、首の後に回り込む円弧状の保持部材を有し、該保持部材の両端から上方へ向かって伸びるようにイヤホンを保持するアームを設けた首掛け式のイヤホンに関する発明も提案されている（特許文献２）。
【０００５】
特許文献１に記載されている発明は、使用中に一時的に会話をしたり電話をしたりすることができるように、ヘッドアームのバネ力を首で受けヘッドアームに対してカップ部分を回転させることができるようにしたものである。しかし、このヘッドホンは、ヘッドアームのバネ力を首の両側で受けるため耳への圧迫感を減らすことはできるが、カップ部分が下へずれないようにするにはヘッドアームに強いバネ力を持たせなくてはならないので、首への圧迫感が大きくなってしまうという不具合がある。
【０００６】
一方、特許文献２に記載されている発明は、もともとヘッドホンに比べて小型軽量のイヤホンを想定した発明で、コードが絡まないようにするとともに装着しているのを目立たなくすることを目的としたもので、カップ部分の重量を肩で支えるようにして頭頂部や耳への圧迫感を減らすようにする本発明とは、目的が異なっている。
【０００７】
本発明の目的は、スピーカを内蔵したカップ部の重量を肩で支えるようにして頭頂部や耳への圧迫感を減らすことができる比較的大型のものに適したヘッドホン装置を提供することにある。
【０００８】
本発明の他の目的は、装着によってヘアスタイルが乱れることのないヘッドホン装置を提供することにある。
【課題を解決するための手段】
【０００９】
本発明に係るヘッドホン装置は、各々スピーカを内蔵した一対のカップ部と、半円弧状をなし両端に前記カップ部がそれぞれ結合された水平アーム部および該水平アーム部の中央にこれとほぼ直角をなすように結合された垂直支承部とを有する支持部材と、前記垂直支承部の他端に結合されたホールド部とを備え、前記ホールド部は可塑性を有する部材により構成し、前記一対のカップ部を両耳に当て前記ホールド部を首もしくは首から肩にかけて巻き付けるように装着した際に前記一対のカップ部の重量が肩にかかるように構成したものである。
【００１０】
上記した手段によれば、カップ部の重量を肩で支えることができるため、大型のスピーカを備える場合にも頭頂部や側頭部、あるいは首に加わる圧迫力を減らすことが可能となる。また、ホールド部は体形に併せて変形させることができるため、使用者の体形が異なっていても頭部にフィットさせることができ、使用中にカップ部がずれたりすることもない。
【００１１】
ここで、望ましくは、前記ホールド部は、可塑性材料からなる芯材の回りに弾力性を有する材料を被覆した部材により構成する。これによって、体に接触する箇所の当たりを柔らかくすることができる。
【００１２】
さらに、望ましくは、前記ホールド部の中央には支柱部を設け、この支柱部の先端が前記支持体の垂直支承部の端部に回転可能に結合するように構成する。これにより、ヘッドホンを装着したまま首を回すことが容易となるとともに、元の状態に戻ったときにホールド部が緩んだりするのを防止することができるようになる。
【発明の効果】
【００１３】
本発明に従うと、スピーカを内蔵し耳を覆うカップ部を備えた比較的大型のヘッドホン装置において、カップ部の重量を肩で支えるようにして頭頂部や耳への圧迫感を減らすことができ、長時間使用しても痛みを生じることがないとともに、装着によってヘアスタイルが乱れるおそれもないという効果がある。
【発明を実施するための最良の形態】
【００１４】
以下、本発明の実施の形態について図面を参照して説明する。
図１は、本発明を適用したヘッドホン装置の一実施形態を示す。
図１に示すように、本実施形態のヘッドホン装置は、内部にスピーカ１１をそれぞれ有する一対のカップ部１０Ａ，１０Ｂと、これらのカップ部１０Ａ，１０Ｂを所定の間隔をおいて保持する概略Ｔ字型の支持体２０と、該支持体２０の下端に結合されたホールド部３０とからなる。カップ部１０Ａ，１０Ｂは、スピーカ１１の周囲にスポンジのような弾力性を有するドーナツ状の緩衝パッド１２がそれぞれ設けられている。
【００１５】
上記支持体２０は、両端にカップ部１０Ａ，１０Ｂが結合されている水平アーム部２１と、該水平アーム部２１の中央から下方へ延びる垂直支承部２２とからなり、全体が弾性材料で形成されており、水平アーム部２１は両端が前方へ突出するように半円弧状に湾曲された形状をなしている。上記ホールド部３０は、可塑性を有する材料（力を加えて変形させると元の形に戻らない材料）からなる芯材の回りにスポンジのような弾力性のある材料が被覆された構造の部材からなる。ホールド部３０の中央には上方へ突出する支柱部３１が設けられ、この支柱部３１の上端が上記支持体２０の垂直支承部２２の下端に垂直な軸を中心に回転可能に結合されている。
【００１６】
この実施形態のヘッドホン装置は、ホールド部３０を横に伸ばした状態でカップ部１０Ａ，１０Ｂを両手で左右に広げながら頭部の後方より両耳に近づけ、両手を離すと支持体２０の水平アーム部２１の弾性復元力でカップ部１０Ａ，１０Ｂが耳を覆うように装着される。その後、ホールド部３０の両端をつかんで首の回り（できるだけ肩に近い部位が望ましい）に巻きつけるように変形させることで装着が終了し、カップ部１０Ａから伸びているケーブル１３先端のジャック１４をＡＶ機器本体の音声信号出力端子に差し込むことで、スピーカからの音声や音楽を視聴することができる。水平アーム部２１には、カップ部１０Ａから１０Ｂへ信号を送る信号線が外部から見えないように配設されている。
【００１７】
この実施形態のヘッドホン装置によれば、ホールド部３０が首の肩に近い部位に巻きついているので、カップ部１０Ａ，１０Ｂの重量が多少重くても肩でその重量を支えることができ、水平アーム部２１によるカップ部１０Ａ，１０Ｂを側頭部へ押し付ける力が弱くてもカップ部１０Ａ，１０Ｂが下方へずり落ちるのを防止することができる。そのため、カップ部１０Ａ，１０Ｂの間隔を従来のヘッドホンよりも広くなるように水平アーム部２１の形状を設定したり、アームの復元力を弱く設定しておくことができ、それによって耳への圧迫感を減らし、長時間使用しても痛みを感じることがなくなるという効果がある。
【００１８】
また、ホールド部３０は変形自在な芯材の回りに弾力性のある材料が被覆された構造を有するため、直接皮膚に触れたりヘッドホン全体の重量が肩にかかったりした場合にも、痛みを与えるおそれがないという利点がある。さらに、支持体２０とホールド部３０とが一体であるとヘッドホンを装着した状態で首を左右に回すとホールド部３０が変形するため、首を回しにくいとともに首を正面に戻した際にホールド部３０の巻き付け状態が緩んでしまいカップ部１０Ａ，１０Ｂがずれ易くなってしまうおそれがある。
【００１９】
これに対し、本実施形態では、支柱部３１の上端が上記支持体２０の下端に垂直な軸を中心に回転可能に結合されているため、ヘッドホンを装着した状態で首を左右に回したときにこの部分が可動してホールド部３０が変形するのを防止できる。その結果、首を回し易くなるとともに首を正面に戻した際にホールド部３０の巻き付け状態が緩んでカップ部１０Ａ，１０Ｂがずれ易くなるのを回避することができる。
【００２０】
図２は、本発明を適用したヘッドホン装置の他の実施形態を示す。
本実施形態と図１の実施形態との違いはホールド部３０にある。具体的には、図１の実施形態ではホールド部３０を首に巻き付けるのに対し、本実施形態では、ホールド部３０を肩から腕の付け根にかけて巻き付けるようにするため、ホールド部３０の長さを図１の実施形態のそれよりも長くしている。それ以外は、図１の実施形態と同じでよい。
【００２１】
本実施形態のヘッドホン装置を装着する際には、ホールド部３０を横に伸ばした状態でカップ部１０Ａ，１０Ｂを両手で左右に広げながら頭部の後方より両耳に近づけ、両手を離すと支持体２０の水平アーム部２１の弾性復元力でカップ部１０Ａ，１０Ｂが耳を覆うように装着する。その後、ホールド部３０の両腕を一旦前方へ曲げ、両端を肩の手前から脇の下へ回すようにそれぞれ変形させる。このように巻き付けることで、カップ部１０Ａ，１０Ｂの重量を肩で支えることができ、水平アーム部２１の挟持力を弱く設定して頭部や首への圧迫力を軽減できるとともに、図１の実施形態に比べてよりしっかりとヘッドホンを装着することが可能となる。
【００２２】
以上本発明者によってなされた発明を実施形態に基づいて具体的に説明したが、本発明はそれに限定されるものではない。例えば、前記実施形態においては、ホールド部３０の中央に上方へ突出する支柱部３１が設けられ、この支柱部３１の上端が上記支持体２０の垂直支承部２２の下端に垂直な軸を中心に回転可能に結合されているとしたが、ホールド部３０の芯材を垂直支承部２２の下端に固定的に結合させても良い。ホールド部３０の芯材は変形可能であるため、ホールド部３０の芯材を垂直支承部２２の下端に固定させたとしても、ヘッドホンを装着して首を回したときに芯材が容易にねじり変形を起こすことで抵抗を減らすことができる。
【００２３】
また、前記実施形態においては、ホールド部３０は、変形させると元の形に戻らない塑性材料からなる芯材の回りにスポンジのような弾力性のある材料が被覆された構造の部材からなるとしたが、ホールド部３０全体を硬質のゴム等で構成するようにしても良い。
【００２４】
さらに、前記実施形態では、カップ部２０Ａにケーブル１３が接続され、このケーブルを介してスピーカに音声信号を伝達するように構成されているが、ＡＶ機器本体からカップ部２０Ａ，２０Ｂへワイヤレスで音声信号を送信するように構成してもよい。また、左右のカップ部２０Ａ，２０Ｂへ別々に音声信号を送るケーブルを設けるようにしてもよい。
【産業上の利用可能性】
【００２５】
以上の説明では主として本発明者によってなされた発明をその背景となった利用分野であるヘッドホンに適用した場合について説明したが、本発明はそれに限定されるものでなく、無線通信機器に使用されるスピーカとマイクとを一体に備えるヘッドセットや、スピーカを内蔵したカップ部内にチューナやアンプなどの回路を内蔵したヘッドホン型のラジオ、記憶装置と再生装置を内蔵したプレーヤなどにも適用することができる。
【図面の簡単な説明】
【００２６】
【図１】本発明を適用したヘッドホン装置の一実施形態を示す正面側からの斜視図である。
【図２】本発明を適用したヘッドホン装置の他の実施形態を示す正面側からの斜視図である。
【符号の説明】
【００２７】
１０Ａ，１０Ｂ  カップ部
１１  スピーカ
１２  緩衝パッド
１３  ケーブル
２０  支持体
２１  水平アーム部
２２  垂直支承部
３０  ホールド部
３１  支柱部
【図１】
2008172508.tif 000003
【図２】
2008172508.tif 000004